(57)【特許請求の範囲】
【請求項１】
電源に対してそれぞれ並列に接続される第１発光体及び第２発光体と、
第１任意負荷用コンセント兼電圧測定端子及び第２任意負荷用コンセント兼電圧測定端子と、
遠隔送電制御機器に電気的に接続する単相２線式用の第１無停電端子及び単相３線式用の第２無停電端子と、
前記第１無停電端子に接続された遠隔送電制御機器に対する電流の供給をオンオフする第１負荷メインスイッチと、
前記第２無停電端子に接続された遠隔送電制御機器に対する電流の供給をオンオフする第２負荷メインスイッチと、
前記遠隔送電制御機器を載置するエリアを有し、前記第１発光体、前記第２発光体、前記第１任意負荷用コンセント兼電圧測定端子、前記第２任意負荷用コンセント兼電圧測定端子、前記第１無停電端子、前記第２無停電端子、前記第１負荷メインスイッチ及び前記第２負荷メインスイッチが固定される基台と、を備え、
前記第１無停電端子及び前記第１負荷メインスイッチは、前記第１発光体と前記第１任意負荷用コンセント兼電圧測定端子とに対して直列に接続され、
前記第２無停電端子は、単相３線にそれぞれ流れる３相の電流の中の２相の電流が前記遠隔送電制御機器に流れるように、前記遠隔送電制御機器に接続される一次側端子及び二次側端子の対を２組有し、
一方の二次側端子及び前記第２負荷メインスイッチは、前記第２発光体と前記第２任意負荷用コンセント兼電圧測定端子とに対して直列に接続され、他方の二次側端子は前記第１負荷メインスイッチに接続されることを特徴とする遠隔送電制御機器用簡易試験器。
【請求項２】
電源からの電流が、２つの前記一次側端子のいずれかに流れるように切り替える相切替スイッチと、
前記第２無停電端子が有する２つ一次側端子を短絡状態及び短絡解除状態のいずれかに切り替える動作試験確認スイッチと、を更に備えることを特徴とする請求項１記載の遠隔送電制御機器用簡易試験器。
【請求項３】
前記第１発光体及び前記第２発光体は、電球からなることを特徴とする請求項１又は２記載の遠隔送電制御機器用簡易試験器。
【請求項４】
前記第１任意負荷用コンセント兼電圧測定端子及び前記第２任意負荷用コンセント兼電圧測定端子は、任意の電気機器を接続した状態で到達電圧も同時に測定可能な２口コンセントを備えることを特徴とする請求項１乃至３のいずれか１項記載の遠隔送電制御機器用簡易試験器。
【発明の詳細な説明】
【技術分野】
【０００１】
本発明は、遠隔送電制御機器用簡易試験器に関する。
【背景技術】
【０００２】
電力会社等の電力供給者（電力供給側）から一般家庭等の電力需要者（電力需要側）へ電力を供給する場合は、電力供給者は需要者毎に電力量計（積算電力量計）を取付けて、各電力量計の計測に応じた電気料金を計算して各需要者から徴収している。
【０００３】
ここで、電力需要者が電気料金の支払を一定期間滞納すると、電力供給者は規定により電力需要者に対して電力を供給停止する措置をとる。一方、電力の供給停止後に、電力需要者が電気料金を支払った場合には、電力供給者は電力の供給停止を解除して、電力需要者に対して電力の供給を開始する。
【０００４】
このように電力供給者が電力需要者への電力供給を停止又は停止解除する場合に、電力供給者は、一般に専門的知識を有する作業員を営業所や電気工事会社から、電力供給停止対象の需要者宅に派遣して、電力を停止又は停止解除する電気工事を行っている。
【０００５】
この場合、電気料金の支払を一定期間滞納した電力需要者が現れる毎に、この電力供給停止対象の需要者宅に作業員を派遣することになるため、電力供給者にとって負担が大きくなる。
【０００６】
そこで、近年、電力供給者の遠隔操作によって電力供給の停止及び停止解除を切り替える遠隔送電制御機器を電力量計とともに電力需要者宅に設置している。これにより、特に専門的知識を有する作業員でなくとも、電力供給者は必要に応じて遠隔送電制御機器を遠隔制御することにより、電力供給の停止及び停止解除を切り替えることができるようになる。
【０００７】
遠隔送電制御機器としては、単相２線式の電力量計に接続する機器、及び単相３線式の電力量計に接続する機器がある。単相２線式の電力量計に接続する遠隔送電制御機器は、単相２線を構成する黒相の線（電圧線）と白相の線（接地線）とにおける、黒相の線を流れる電流を、遮断及び遮断解除する機能を備えている。単相３線式の電力量計に接続する遠隔送電制御機器は、単相３線を構成する黒相の線（電圧線）と、赤相の線（電圧線）と、白相の線（接地線）とにおける、黒相と赤相の線を流れる電流を、それぞれ遮断及び遮断解除する機能を備えている。
【０００８】
また、従来、この種の技術として、特許文献１に記載された技術が提案されている。特許文献１には、電力供給停止対象の電力需要者を１回訪問するだけで微小電力を供給するための電流制限器を取付けることができ、かつ電流制限器を必要とする該当者を精度よく選定することができる遠隔送電制御機器用簡易試験器及び遠隔送電制御システムについて記載されている。
【先行技術文献】
【特許文献】
【０００９】
【特許文献１】特開２００８−１７５９７号公報
【発明の概要】
【発明が解決しようとする課題】
【００１０】
ところで、遠隔送電制御機器に不具合が発生した場合、修理の可否を判断するために、遠隔送電制御機器の動作試験を行う必要がある。しかし、従来、遠隔送電制御機器の動作試験を行うための試験器がないため、各営業所に設置してある、計量器工事訓練用模擬装置盤を代用して動作試験を実施している。
【００１１】
ここで、計量器工事訓練用模擬装置盤は、作業員が電力需要者宅の現場において電力供給の停止及び停止解除を切り替える作業を行うための訓練に用いるものであり、停止及び停止解除の作業が正しく行われている場合には、その旨を報知する機能を備えている。計量器工事訓練用模擬装置盤を遠隔送電制御機器の動作試験に代用する際には、計量器工事訓練用模擬装置盤の所定の端子に試験対象の遠隔送電制御機器を電気的に接続し、外部から遠隔送電制御機器に切替信号を送り、停止及び停止解除の作業が正しく行われている旨の報知を確認する、といった作業が行われる。
【００１２】
しかしながら、計量器工事訓練用模擬装置盤は大規模な設備であって移動が困難である。このため、遠隔送電制御機器を遠隔操作する端末がある部屋と、計量器工事訓練用模擬装置盤が設置されている部屋とが別々になり、試験の際に、端末を操作する作業員と計量器工事訓練用模擬装置盤を操作する作業員とが必要になる。その結果、別々の部屋の作業員が連絡を取り合いながら試験を進めることになるため作業効率が悪く、しかも複数の作業員が必要となるためその分人件費がかかってしまう。
【００１３】
また、計量器工事訓練用模擬装置盤を代用するため、例えば、ドライバー等の工具を使用して外装カバーを取り外し、端子を外部に露出させる、といった試験準備のための作業、更には試験後に外装カバーを再度取り付けるといった試験前の状態に戻す作業が発生する。このため、遠隔送電制御機器の試験時間が長くなるおそれがある。
【００１４】
本発明は、このような問題点を解決し、遠隔送電制御機器の試験における作業性の向上、人件費の低減、作業時間の短縮を実現する試験器を提供することを目的とする。
【課題を解決するための手段】
【００１５】
前記目的を達成するため、本発明は、次に記載する構成を備えている。
【００１６】
（１）  電源に対してそれぞれ並列に接続される第１発光体及び第２発光体と、第１任意負荷用コンセント兼電圧測定端子及び第２任意負荷用コンセント兼電圧測定端子と、遠隔送電制御機器に電気的に接続する単相２線式用の第１無停電端子及び単相３線式用の第２無停電端子と、前記第１無停電端子に接続された遠隔送電制御機器に対する電流の供給をオンオフする第１負荷メインスイッチと、前記第２無停電端子に接続された遠隔送電制御機器に対する電流の供給をオンオフする第２負荷メインスイッチと、前記遠隔送電制御機器を載置するエリアを有し、前記第１発光体、前記第２発光体、前記第１任意負荷用コンセント兼電圧測定端子、前記第２任意負荷用コンセント兼電圧測定端子、前記第１無停電端子、前記第２無停電端子、前記第１負荷メインスイッチ及び前記第２負荷メインスイッチが固定される基台と、を備え、前記第１無停電端子及び前記第１負荷メインスイッチは、前記第１発光体と前記第１任意負荷用コンセント兼電圧測定端子とに対して直列に接続され、前記第２無停電端子は、単相３線にそれぞれ流れる３相の電流の中の２相の電流が前記遠隔送電制御機器に流れるように、前記遠隔送電制御機器に接続される一次側端子及び二次側端子の対を２組有し、一方の二次側端子及び前記第２負荷メインスイッチは、前記第２発光体と前記第２任意負荷用コンセント兼電圧測定端子とに対して直列に接続され、他方の二次側端子は前記第１負荷メインスイッチに接続されることを特徴とする遠隔送電制御機器用簡易試験器。
【００１７】
（１）によれば、試験対象の遠隔送電制御機器を第１無停電端子又は第２無停電端子に接続し、第１負荷メインスイッチ又は第２負荷メインスイッチを操作して、第１発光体又は第２発光体が発光するか否かを確認する。更に遠隔送電制御機器を遠隔制御して第１発光体又は第２発光体が消灯するか否かを確認することにより、遠隔送電制御機器の動作試験を行うことができる。これにより、試験対象となる遠隔送電制御機器の取付準備、簡易試験器への取付、更には遠隔送電制御機器と簡易試験器との電気的な接続に係る作業負担を軽減することが可能になる。更に、従来、大掛かりな装置を用いて実施されてきた遠隔送電制御機器の試験を１人の作業員で容易に行うことが可能になり、遠隔送電制御機器の試験に係る設備費や人件費を大幅に削減することが可能になる。しかも、作業負担の軽減により、試験に要する時間を短縮することが可能になり、試験待ちの遠隔送電制御機器の数を低減することが可能になる。
【００１８】
（２）  （１）において、電源からの電流が、２つの前記一次側端子のいずれかに流れるように切り替える相切替スイッチと、前記第２無停電端子が有する２つ一次側端子を短絡状態及び短絡解除状態のいずれかに切り替える動作試験確認スイッチと、を更に備えることを特徴とする遠隔送電制御機器用簡易試験器。
【００１９】
（２）によれば、相切替スイッチと、動作試験確認スイッチと、を有することにより、単相３線式用の遠隔送電制御機器を試験する際に、遠隔送電制御機器における黒相の電流値と、赤相の電流値と、をそれぞれ測定することが可能になり、遠隔送電制御機器が通常状態において正常に動作しているかを正確に試験することが可能になる。
【００２０】
（３）  （１）、（２）において、前記第１発光体及び前記第２発光体は、電球からなることを特徴とする遠隔送電制御機器用簡易試験器。
【００２１】
（３）によれば、遠隔送電制御機器に電流が流れていることが電球の発光によって報知されるため、作業員はより正確に報知結果を把握することが可能になる。
【００２２】
（４）  （１）〜（３）において、前記第１任意負荷用コンセント兼電圧測定端子及び前記第２任意負荷用コンセント兼電圧測定端子は、任意の電気機器を接続した状態で到達電圧も同時に測定可能な２口コンセントを備えることを特徴とする遠隔送電制御機器用簡易試験器。
【００２３】
（４）によれば、遠隔送電制御機器の黒相回路及び赤相回路の遮断器等の接触不良に起因する電圧低下を、第１任意負荷用コンセント兼電圧測定端子、第２任意負荷用コンセント兼電圧測定端子にてテスター等の電圧測定機器を用いて正確に把握することが可能となる。
【発明の効果】
【００２４】
本発明によれば、遠隔送電制御機器の試験における作業性の向上、人件費の低減、作業時間の短縮を実現する遠隔送電制御機器用簡易試験器を提供することが可能になる。
【図面の簡単な説明】
【００２５】
【図１】本発明の一実施形態における遠隔送電制御機器用簡易試験器１の外観を示す斜視図である。
【図２】図１を下方から視認した外観を示す斜視図である。
【図３】本実施形態における簡易試験器１の電気回路系統を示す配線図である。
【図４】遠隔送電制御機器１００の試験に必要な機器を示す図である。
【図５】営業所端末２００のディスプレイに表示される遠隔送電制御機器１００の状態の確認画面を示す説明図である。
【図６】営業所端末２００のディスプレイに表示される遠隔送電制御機器１００の状態の確認画面を示す説明図である。
【図７】営業所端末２００のディスプレイに表示される遠隔送電制御機器１００の状態の確認画面を示す説明図である。
【図８】営業所端末２００のディスプレイに表示される遠隔送電制御機器１００の状態の確認画面を示す説明図である。
【図９】営業所端末２００のディスプレイに表示される遠隔送電制御機器１００の状態の確認画面を示す説明図である。
【発明を実施するための形態】
【００２６】
以下、本発明の一実施形態について、図面を参照しながら詳細に説明する。
【００２７】
［全体構成］
図１は、本発明の一実施形態における遠隔送電制御機器用簡易試験器１の外観を示す斜視図、図２は、図１を下方から視認した外観を示す斜視図である。遠隔送電制御機器用簡易試験器１（以下、簡易試験器１と略称する）は、基台１０と、電源コード２０と、ブレーカ２２と、赤色電球２４と、第１無停電端子２６と、電源コネクタ２８と、相切替スイッチ３２と、第２無停電端子３０と、動作試験確認スイッチ３４と、第１負荷メインスイッチ３６と、第２負荷メインスイッチ３８と、第１電球４０と、第２電球４２と、第１任意負荷用コンセント兼電圧測定端子４４と、第２任意負荷用コンセント兼電圧測定端子４６と、配線接続箱４８と、を備えている。
【００２８】
基台１０は、天板と、天板の裏面に立設される４本の脚材とを有する小型のテーブル体である。基台１０の天板の表面の中央部には、試験対象の遠隔送電制御機器１００を載置するエリアが確保されており、このエリアの周囲に、ブレーカ２２と、第１無停電端子２６と、相切替スイッチ３２と、第２無停電端子３０と、第１負荷メインスイッチ３６と、第２負荷メインスイッチ３８とが固定されている。通常、遠隔送電制御機器１００は、机上の営業所端末２００よりも小さく基台１０よりも小さい機器であり、基台１０は、営業所端末２００とともに机上に載置可能な大きさである。
【００２９】
基台１０の天板の裏側には、赤色電球２４と、動作試験確認スイッチ３４と、第１電球４０と、第２電球４２と、第１任意負荷用コンセント兼電圧測定端子４４と、第２任意負荷用コンセント兼電圧測定端子４６と、配線接続箱４８とが配設されている。
【００３０】
天板は、複数枚の板材（本実施形態においては４枚）を、若干の隙間を空けて並べてなるものであり、板材の隙間から、赤色電球２４、第１電球４０及び第２電球４２の発光態様を視認することが可能である。
【００３１】
そして、基台１０に取り付けられた、電源コード２０と、ブレーカ２２と、赤色電球２４と、第１無停電端子２６と、電源コネクタ２８と、相切替スイッチ３２と、第２無停電端子３０と、動作試験確認スイッチ３４と、第１負荷メインスイッチ３６と、第２負荷メインスイッチ３８と、第１電球４０と、第２電球４２と、第１任意負荷用コンセント兼電圧測定端子４４と、第２任意負荷用コンセント兼電圧測定端子４６と、配線接続箱４８とによって、簡易試験器１の電気回路系統が構成される。
【００３２】
電源コード２０は、コンセントに差し込まれる電源プラグと、電源プラグを先端に取り付けたコード体とからなり、この電源コード２０から簡易試験器１に電力が供給される。
【００３３】
ブレーカ２２は、電源コード２０に接続され、負荷側に過大な電流が流れた場合に自動的に電気の供給を遮断するものである。なお、ブレーカ２２は、負荷側に漏電が発生した場合も自動的に電気の供給を遮断できる漏電遮断機能を兼ねたものでもよい。
【００３４】
赤色電球２４は、簡易試験器１に通電されている場合、すなわち電源コード２０がコンセントに差し込まれかつブレーカ２２が「入」の場合に発光する。
【００３５】
第１無停電端子２６は、試験対象となる遠隔送電制御機器１００が接続される単相２線式用の端子台であり、一次側端子２６ａ及び二次側端子２６ｂを備えている。第１無停電端子２６には、単相２線式の電力量計用の遠隔送電制御機器１００が接続され、遠隔送電制御機器１００には、単相２線を構成する黒相の線（電圧線）と白相の線（接地線）とにおいて、黒相の線が第１無停電端子２６の一次側端子２６ａ及び二次側端子２６ｂに接続される。
【００３６】
電源コネクタ２８は、試験対象の遠隔送電制御機器１００の電源端子に接続され、遠隔送電制御機器１００に駆動電力を供給するものである。
【００３７】
第２無停電端子３０は、試験対象となる遠隔送電制御機器１００が接続される単相３線式用の端子台であり、一次側端子３０ａと二次側端子３０ｂとの対と、一次側端子３０ｃと二次側端子３０ｄとの対との２組の端子対を備えている。第２無停電端子３０には、単相３線式の電力量計用の遠隔送電制御機器１００が接続され、遠隔送電制御機器１００には、単相３線を構成する黒相の線（電圧線）と赤相の線（電圧線）と白相の線（接地線）とにおいて、黒相の線が第２無停電端子３０の一次側端子３０ａ及び二次側端子３０ｂに接続され、赤相の線が第２無停電端子３０の一次側端子３０ｃ及び二次側端子３０ｄに接続される。
【００３８】
相切替スイッチ３２は、電源コード２０から供給される電流が流れる経路を、第２無停電端子３０における黒相の一次側端子３０ａ及び赤相の一次側端子３０ｃのいずれかに切り替えるスイッチである。
【００３９】
動作試験確認スイッチ３４は、第２無停電端子３０における黒相の一次側端子３０ａと赤相の一次側端子３０ｃとを接続する短絡状態、及び接続を解除する非短絡状態のいずれかに切り替えるスイッチである。動作試験確認スイッチ３４は、詳細については後述するが、遠隔送電制御機器１００の状態を正確に確認する際に用いられる。
【００４０】
第１負荷メインスイッチ３６は、第１無停電端子２６又は第２無停電端子３０に接続された試験対象の遠隔送電制御機器１００に対する電流の供給を、作業員の操作によってオンオフするスイッチである。第１負荷メインスイッチ３６を「オン」にすることによって遠隔送電制御機器１００における黒相の電流が流れる回路に、電流が流れる。以下の説明の便宜上、遠隔送電制御機器１００における黒相の電流が流れる回路を黒相回路と称する。
【００４１】
第２負荷メインスイッチ３８は、第２無停電端子３０に接続された試験対象の遠隔送電制御機器１００に対する電流の供給を、作業員の操作によってオンオフするスイッチである。第２負荷メインスイッチ３８を「オン」にすることによって遠隔送電制御機器１００における赤相の電流が流れる回路に、電流が流れる。以下の説明の便宜上、遠隔送電制御機器１００において、赤相の電流が流れる回路を赤相回路と称する。
【００４２】
第１電球４０は、第１無停電端子２６又は第２無停電端子３０に接続された遠隔送電制御機器１００における黒相回路に電流が流れていることを確認するためのものである。作業員が、第１負荷メインスイッチ３６を「オン」にした場合に第１電球４０の点灯を確認することによって、遠隔送電制御機器１００の黒相回路に電流が正常に流れていることが確認できる。
【００４３】
第２電球４２は、第２無停電端子３０に接続された遠隔送電制御機器１００に赤相回路に電流が流れていることを確認するためのものである。作業員が、第２負荷メインスイッチ３８が「オン」にした場合に第２電球４２の点灯を確認することによって、遠隔送電制御機器１００の赤相回路に電流が正常に流れていることが確認できる。
【００４４】
第１任意負荷用コンセント兼電圧測定端子４４は、黒相回路に電流を流す電気回路に負荷を追加する場合又は遠隔送電制御機器１００の黒相回路の負荷側（無停電端子の二次側）に正常な電圧が到達しているかの電圧測定に使用される。第２任意負荷用コンセント兼電圧測定端子４６は、赤相回路に電流を流す電気回路に負荷を追加する場合又は遠隔送電制御機器１００の赤相回路の負荷側（無停電端子の二次側）に正常な電圧が到達しているかの電圧測定に使用される。
【００４５】
［負荷電流増加試験］
例えば、消費電力１ｋＷの機器を第１任意負荷用コンセント兼電圧測定端子４４又は第２任意負荷用コンセント兼電圧測定端子４６に差し込むことにより、遠隔送電制御機器１００に黒相又は赤相の負荷電流を約１０Ａ増加させた場合での試験も可能となる。
【００４６】
なお、上述した［負荷電流増加試験］における第１任意負荷用コンセント兼電圧測定端子４４及び第２任意負荷用コンセント兼電圧測定端子４６は、負荷電流を増加させた場合での遠隔送電制御機器１００の負荷側電圧の測定を同時に行えるよう２口にしてもよい。
【００４７】
配線接続箱４８は、電源コード２０、ブレーカ２２、赤色電球２４、第１無停電端子２６、電源コネクタ２８、第２無停電端子３０、相切替スイッチ３２、動作試験確認スイッチ３４、第１負荷メインスイッチ３６、第２負荷メインスイッチ３８、第１電球４０、第２電球４２、第１任意負荷用コンセント兼電圧測定端子４４、第２任意負荷用コンセント兼電圧測定端子４６の配線接続を一箇所に集約し接続箇所を保護及び電気的に絶縁するための箱である。
【００４８】
［回路構成］
図３は、本実施形態における簡易試験器１の電気回路系統を示す配線図である。
赤色電球２４、電源コネクタ２８、第１電球４０及び第２電球４２は、ブレーカ２２からの延びる電源コード２０に対してそれぞれ並列に接続されている。
【００４９】
第１無停電端子２６及び第１負荷メインスイッチ３６は、電源コード２０から分岐して第１電球４０に接続されるリード線に、第１電球４０に対して直列に接続される。
【００５０】
相切替スイッチ３２、第２無停電端子３０及び第２負荷メインスイッチ３８は、電源コード２０から分岐して第２電球４２に接続されるリード線に、第２電球４２に対して直列に接続される。詳細には、第２無停電端子３０の赤相の二次側端子３０ｄが第２負荷メインスイッチ３８に接続されている。また、第２無停電端子３０における黒相の二次側端子３０ｂは、リード線を介して第１無停電端子２６と第１負荷メインスイッチ３６との間に接続される。
【００５１】
第１任意負荷用コンセント兼電圧測定端子４４は第１電球４０に対して並列に接続される。第２任意負荷用コンセント兼電圧測定端子４６は第２電球４２に並列に対して接続される。
【００５２】
動作試験確認スイッチ３４は、通常状態においては「オン」、すなわち第２無停電端子３０における黒相の一次側端子３０ａと赤相の一次側端子３０ｃとは短絡状態となっている。このため、相切替スイッチ３２の切替状態にかかわらず、第２無停電端子３０における黒相の一次側端子３０ａ及び赤相の一次側端子３０ｃに電流が流れる。なお、動作試験確認スイッチ３４が「オフ」の場合には、相切替スイッチ３２による切替先、すなわち第２無停電端子３０における黒相の一次側端子３０ａ又は赤相の一次側端子３０ｃのいずれかに電流が流れる。
【００５３】
［試験手順］
次に、本実施形態における簡易試験器１を用いた遠隔送電制御機器１００の試験手順について説明する。なお、本手順は、通常試験によるもので「負荷電流増加試験」及び「電圧測定試験」についての説明は、省略する。遠隔送電制御機器１００の試験の際には、図４に示すように、簡易試験器１の他に、遠隔送電制御機器１００と通信可能な営業所端末２００を用意する。この際、営業所端末２００が載置されている机上に、簡易試験器１を載置する。
【００５４】
（１）遠隔送電制御機器１００を取り付ける前の簡易試験器１の確認
まず、作業員は、簡易試験器１に通電がなされていないことを確認する。具体的には、簡易試験器１の電源コード２０のプラグがコンセントに差し込まれていないこと、ブレーカ２２が「切」になっていること、赤色電球２４が消灯していること等を確認する。
【００５５】
（２）遠隔送電制御機器１００の取り付け
次に、作業員は、試験対象の遠隔送電制御機器１００を基台１０の中央に載置する。この時、遠隔送電制御機器１００の銘板と遠隔送電制御機器１００の本体に設けられている状態表示ランプ（図示せず）が見えるように設置する。
【００５６】
（３）遠隔送電制御機器１００の配線接続
次に、作業員は、遠隔送電制御機器１００を第１無停電端子２６あるいは第２無停電端子３０に接続する。作業員は、単相２線式の電力量計に対応する遠隔送電制御機器１００の場合には第１無停電端子２６に接続し、単相３線式の電力量計に対応する遠隔送電制御機器１００の場合には第２無停電端子３０に接続する。
【００５７】
次に、作業員は、電源コネクタ２８を遠隔送電制御機器１００に接続する。
次に、作業員は、第１負荷メインスイッチ３６及び第２負荷メインスイッチ３８が「切」になっていることを確認する。特に、第２無停電端子３０に遠隔送電制御機器１００を接続した場合には、動作試験確認スイッチ３４が「入」になっていることを確認する。なお、以下の説明の便宜上、第２無停電端子３０に遠隔送電制御機器１００を接続した場合については、単相３線式の場合と称することにする。また、第１無停電端子２６に遠隔送電制御機器１００を接続した場合ついては、単相２線式の場合と称することにする。
【００５８】
（４）簡易試験器１への通電
次に、作業員は、電源コード２０のプラグをコンセントに差し込み、ブレーカ２２を「入」に切り替えることにより、簡易試験器１に通電する。この時、赤色電球２４が点灯していることを確認するとともに、遠隔送電制御機器１００の電波受信状態表示ランプ（ＡＮＴ）が良（緑点灯又は緑点滅）であることを確認する。状態表示ランプ点灯は電源投入後３０秒間であるため、確認し忘れた場合には、ブレーカ２２を一旦「切」にしてから再度「入」に切り替えて、改めて表示を確認する。
【００５９】
（５）営業所端末２００の確認
次に、作業員は、営業所端末２００を操作して、顧客に関する情報が記憶されているデータベースから営業所端末２００に付されている遠隔送電制御機器１００の銘板記載の端末番号を検索し、契約番号及び計器番号が端末番号に関連付けて登録されていないことを確認する。言い換えれば、試験対象の遠隔送電制御機器１００が需要者宅に設置されていない機器であることを確かめる。
【００６０】
（６）営業所端末２００による遠隔送電制御機器１００の選択
次に、作業員は、営業所端末２００を操作して遠隔送電制御機器１００を通信相手として選択し、営業所端末２００と遠隔送電制御機器１００との間で通信可能な状態とする。
作業員は、営業所端末２００を操作して、図５に示す、機器状態の確認画面をディスプレイに表示させ、「選択中」という文字情報が赤い文字で表示されていることを確認する。更に、遠隔送電制御機器１００の選択状態ランプ（ＰＯＷ）が赤点灯であることを確認する。これにより、作業員は、営業所端末２００が遠隔送電制御機器１００を選択しており、通信可能な状態であることを確かめることができる。
【００６１】
図５（ａ）は単相２線式の遠隔送電制御機器１００の機器状態の確認画面を示す説明図であり、図５（ｂ）は単相３線式の遠隔送電制御機器１００の機器状態の確認画面を示す説明図である。機器状態の確認画面には、「選択中」という文字情報と、制御状態を表示する項目と、２次側電圧を表示する項目と、２次側電流を表示する項目がある。
【００６２】
単相２線式の場合には、遠隔送電制御機器１００の黒相回路に電流が流れるため、制御状態の項目には「黒」という文字情報と、制御状態として「遮断」及び「投入」のいずれかの文字情報が表示される表示欄が備えられており、２次側電圧の項目には、「黒」という文字情報と、電圧の有無を表示する表示欄が備えられている。２次側電流の項目には電流値を表示する表示欄が備えられている。
【００６３】
単相３線式の場合には、遠隔送電制御機器１００の黒相回路及び赤相回路に電流が流れるため、制御状態の項目には「黒」及び「赤」という文字情報と、「黒」及び「赤」という文字情報にそれぞれ対応して「遮断」及び「投入」のいずれかの文字情報を表示する欄が備えられており、２次側電圧の項目には、「黒」及び「赤」という文字情報と、「黒」及び「赤」という文字情報にそれぞれ対応して電圧の有無を表示する欄が備えられている。
【００６４】
なお、上述した（６）の段階では、制御状態の表示欄には「遮断」、２次側電圧の表示欄には「無」、第１負荷メインスイッチ３６及び第２負荷メインスイッチ３８が「切」になっており、遠隔送電制御機器１００の黒相回路又は赤相回路に電流が流れていないため、２次側電流の表示欄には「０．００Ａ」と表示される。
【００６５】
（７）簡易試験器１の負荷メインスイッチを入れる
次に、単相２線式の場合、作業員は、第１負荷メインスイッチ３６（黒相側）を「入」にする。単相３線式の場合、作業員は、第１負荷メインスイッチ３６及び第２負荷メインスイッチ３８（赤相側）の両方を「入」にする。
【００６６】
（８）投入操作
次に、作業員は、営業所端末２００を操作して、遠隔送電制御機器１００が電力供給を実施している状態になるように、遠隔送電制御機器１００を遠隔操作する。
単相２線式の場合、作業員は、簡易試験器１の第１電球４０（黒相側）の点灯及び遠隔送電制御機器１００の開閉器状態表示ランプ（ＳＴＡ）の赤点灯を確認する。また、作業員は、営業所端末２００の機器状態の確認画面を見て、図６（ａ）に示すように、制御状態の表示欄が「投入」、２次側電圧の表示欄が「有」であることを確認する。更に、２次側電流の表示欄に、第１電球４０の消費電力は９０Ｗであるため、約０．９０Ａの値が表示されていることを確認する。なお、第２電球４２の消費電力は５４Ｗである。
【００６７】
また、単相３線式の場合に、作業員は、簡易試験器１の第１電球４０（黒相側）及び第２電球４２（赤相側）の点灯及び遠隔送電制御機器１００の開閉器状態表示ランプ（ＳＴＡ）の赤点灯を確認する。また、作業員は、営業所端末２００の機器状態の確認画面を見て、図６（ｂ）に示すように、制御状態の「黒」と「赤」の表示欄が「投入」、２次側電圧の「黒」と「赤」の表示欄が「有」であることを確認する。ここで、２次側電流の表示欄には、黒相の電流と赤相の電流の差分が表示されてしまうため、作業員は、黒相回路を流れる電流値及び赤相回路を流れる電流値の正確な値を把握ことができない。そこで、作業員は、動作試験確認スイッチ３４を「切」にする。次に、作業員は、相切替スイッチ３２を一次側端子３０ａ（黒相側）に切り替えた後、営業所端末２００を操作して確認画面を更新して、２次側電流を確認する。図７（ａ）は更新後の確認画面の一例である。同様に、相切替スイッチ３２を一次側端子３０ｃ（赤相側）に切り替えた後、営業所端末２００を操作して確認画面を更新し、２次側電流を確認する。図７（ｂ）は更新後の確認画面の一例である。作業員が、２次側電流（黒相回路及び赤相回路を流れる電流値）を確認した後、動作試験確認スイッチ３４を再度「入」に戻す。
【００６８】
（９）遮断操作の準備（無負荷時の電流表示試験）
次に、単相２線式の場合、作業員は、第１負荷メインスイッチ３６を「切」にし、第１電球４０が消灯したことを確認する。そして、作業員は、営業所端末２００を操作して確認画面を更新し、図８（ａ）に示すように、制御状態の表示欄が「投入」、２次側電圧の表示欄が「有」であることを確認するとともに、２次側電流の表示欄が０．００Ａになっていることを確認する。
【００６９】
単相３線式の場合、作業員は、第１負荷メインスイッチ３６及び第２負荷メインスイッチ３８を「切」にし、第１電球４０及び第２電球４２が消灯したことを確認する。そして、作業員は、営業所端末２００を操作して確認画面を更新し、図８（ｂ）に示すように、制御状態の「黒」と「赤」の表示欄がともに「投入」、２次側電圧の「黒」と「赤」の表示欄がともに「有」であることを確認するとともに、２次側電流の表示欄が０．００Ａになっていることを確認する。
【００７０】
次に、単相２線式の場合、作業員は、第１負荷メインスイッチ３６を再度「入」にして、第１電球４０の点灯を確かめる。単相３線式の場合であれば第１負荷メインスイッチ３６及び第２負荷メインスイッチ３８を再度「入」にして、第１電球４０及び第２電球４２の点灯を確かめる。
【００７１】
（１０）遮断操作
次に、作業員は、営業所端末２００を操作して、遠隔送電制御機器１００が電力供給を遮断する状態になるように、遠隔送電制御機器１００を遠隔操作する。
単相２線式の場合、作業員は、簡易試験器１の第１電球４０の消灯及び遠隔送電制御機器１００の開閉器状態表示ランプ（ＳＴＡ）の緑点灯を確認する。更に、作業員は、営業所端末２００のディスプレイを視認して機器状態における制御状態の表示欄が「遮断」であること、２次側電圧の表示欄が「無」であること、２次側電流の表示欄が０．００Ａであることを確認する（図９（ａ）参照）。
【００７２】
単相３線式の場合、作業員は、簡易試験器１の第１電球４０及び第２電球４２の消灯及び遠隔送電制御機器１００の開閉器状態表示ランプ（ＳＴＡ）の緑点灯を確認する。更に、作業員は、営業所端末２００のディスプレイを視認して機器状態における制御状態の「黒」と「赤」の表示欄がともに「遮断」であること、２次側電圧の「黒」と「赤」の表示欄がともに「無」であること、２次側電流の表示欄が０．００Ａであることを確認する（図９（ｂ）参照）。
【００７３】
（１１）営業所端末２００による遠隔送電制御機器１００の選択解除
次に、作業員は、営業所端末２００を操作して、営業所端末２００が遠隔送電制御機器１００を選択している状態を解除する。
作業員は、営業所端末２００において、機器状態の表示画面における「選択中」という文字情報が赤い文字でなくなったことを確認する。更に、遠隔送電制御機器１００の状態表示ランプの選択（接続）状態ランプ（ＰＯＷ）が緑点灯であることを確認する。
【００７４】
（１２）簡易試験器１への通電停止
次に、作業員は、第１負荷メインスイッチ３６及び第２負荷メインスイッチ３８を「切」にし、ブレーカ２２を「切」にして、赤色電球２４が消灯したことを確認し、遠隔送電制御機器１００の状態表示ランプが消灯していることを確認した後電源コード２０のプラグをコンセントから抜き取る。
【００７５】
（１３）遠隔送電制御機器１００の取り外し
最後に、作業員は、電源コネクタ２８を遠隔送電制御機器１００から取り外し、遠隔送電制御機器１００の入力端子及び出力端子を第１無停電端子２６あるいは第２無停電端子３０の入力端子及び出力端子から取り外す。
【００７６】
以上の手順を踏むことにより、遠隔送電制御機器１００の通常試験が完了する。前述の通常試験において、全ての確認事項をクリアした場合に、遠隔送電制御機器１００は正常であると判断される。
【００７７】
以上説明したように構成された本実施形態によれば、試験対象となる遠隔送電制御機器１００の取付準備、簡易試験器１への取付、更には遠隔送電制御機器１００と簡易試験器１との電気的な接続に係る作業負担を軽減することが可能になる。これにより、従来、大掛かりな装置を用いて実施されてきた遠隔送電制御機器１００の試験を１人の作業員で容易に行うことが可能になり、遠隔送電制御機器の試験に係る設備費や人件費を大幅に削減することが可能になる。しかも、作業負担の軽減により、試験に要する時間を短縮することが可能になり、試験待ちの遠隔送電制御機器１００の数を低減することが可能になる。これにより、遠隔送電制御機器１００が不足するといった事態の発生を低減することが可能になる。
【００７８】
また、本実施形態によれば、相切替スイッチ３２と、動作試験確認スイッチ３４と、を有することにより、試験時に簡易試験器の電源を机上コンセント電源（単相２線式１００Ｖ）より取得して単相３線式用の遠隔送電制御機器１００を試験する際に、遠隔送電制御機器１００における黒相の電流値と、赤相の電流値と、をそれぞれ測定することが可能になり、遠隔送電制御機器１００の黒相回路及び赤相回路の電流計測が通常状態において正常に計測しているかを試験することが可能になる。
【００７９】
また、本実施形態によれば、遠隔送電制御機器１００の黒相回路及び赤相回路に電流が流れている場合に、第１電球４０及び第２電球４２を発光させるため、第１電球４０及び第２電球４２が発光していることを正確に把握することが可能になる。
【００８０】
また、本実施形態によれば、第１任意負荷用コンセント兼電圧測定端子４４及び第２任意負荷用コンセント兼電圧測定端子４６に任意の電気機器を差し込むことにより遠隔送電制御機器１００に流れる負荷電流を増加させた場合の試験をすることが可能になる。
【００８１】
また、本実施形態によれば、遠隔送電制御機器１００の黒相回路及び赤相回路の遮断器等の接触不良に起因する電圧低下を第１任意負荷用コンセント兼電圧測定端子４４及び第２任意負荷用コンセント兼電圧測定端子４６にてテスター等の電圧測定機器を用いて正確に把握することが可能となる。
【符号の説明】
【００８２】
１  遠隔送電制御機器用簡易試験器
１０  基台
２０  電源コード
２２  ブレーカ
２４  赤色電球
２６  第１無停電端子
２６ａ、３０ａ、３０ｃ  一次側端子
２６ｂ、３０ｂ、３０ｄ  二次側端子
２８  電源コネクタ
３０  第２無停電端子
３２  相切替スイッチ
３４  動作試験確認スイッチ
３６  第１負荷メインスイッチ
３８  第２負荷メインスイッチ
４０  第１電球
４２  第２電球
４４  第１任意負荷用コンセント兼電圧測定端子
４６  第２任意負荷用コンセント兼電圧測定端子
４８  配線接続箱
１００  遠隔送電制御機器
２００  営業所端末
【図１】
0006468051.tif 000002
【図２】
0006468051.tif 000003
【図３】
0006468051.tif 000004
【図４】
0006468051.tif 000005
【図５】
0006468051.tif 000006
【図６】
0006468051.tif 000007
【図７】
0006468051.tif 000008
【図８】
0006468051.tif 000009
【図９】
0006468051.tif 000010